(57)【特許請求の範囲】
【請求項１】
通信システムにおけるユーザ装置（ＵＥ：User equipment）によってチャネル状態を報告する方法であって、
少なくとも一つのチャネル状態基準信号に対する情報を受信するステップと、
前記少なくとも一つのチャネル状態情報基準信号の第１のセット及び第１の周期に基づいて第１のチャネル状態を基地局（ｅＮＢ：evolved node Ｂ）に報告するステップと、
前記少なくとも一つのチャネル状態情報基準信号の第２のセット及び第２の周期に基づいて第２のチャネル状態を前記ｅＮＢに報告するステップと、
前記第１のチャネル状態は、プリコーディングマトリックス指示子（ＰＭＩ）、チャネル品質指示子（ＣＱＩ）及びランキング指示子（ＲＩ）のうちの少なくとも一つを含み、
前記第２のチャネル状態は、ＣＱＩ、ＰＭＩ及びＲＩのうちの少なくとも一つを含み、
前記第２のチャネル状態のＲＩは、前記第１のチャネル状態のＲＩと同一であることを特徴とする方法。
【請求項２】
前記少なくとも一つのチャネル状態情報基準信号の前記第１のセットは、一つまたはそれ以上のチャネル状態情報基準信号を含み、前記少なくとも一つのチャネル状態情報基準信号の前記第１のセットは、前記少なくとも一つのチャネル状態情報基準信号の第２のセットと全体的に分割されるかまたは部分的に重なることを特徴とする請求項１に記載の方法。
【請求項３】
前記少なくとも一つのチャネル状態情報基準信号の前記第２のセットは、一つまたはそれ以上のチャネル状態情報基準信号を含み、前記少なくとも一つのチャネル状態情報基準信号の前記第２のセットは、前記少なくとも一つのチャネル状態情報基準信号の第１のセットと全体的に分割されるかまたは部分的に重なることを特徴とする請求項１に記載の方法。
【請求項４】
前記少なくとも一つのチャネル状態情報基準信号の部分は、ゼロパワーチャネル状態情報基準信号に対するものであることを特徴とする請求項１に記載の方法。
【請求項５】
通信システムにおける基地局（ｅＮＢ：evolved node Ｂ）によってチャネル状態を受信する方法であって、
ユーザ装置（ＵＥ：User equipment）に少なくとも一つのチャネル状態基準信号に対する情報を送信するステップと、
前記ＵＥから前記少なくとも一つのチャネル状態情報基準信号の第１のセット及び第１の周期に基づいて報告された第１のチャネル状態を受信するステップと、
前記ＵＥから前記少なくとも一つのチャネル状態情報基準信号の第２のセット及び第２の周期に基づいて報告された第２のチャネル状態を受信するステップと、
前記第１のチャネル状態は、プリコーディングマトリックス指示子（ＰＭＩ）、チャネル品質指示子（ＣＱＩ）及びランキング指示子（ＲＩ）のうちの少なくとも一つを含み、
前記第２のチャネル状態は、ＣＱＩ、ＰＭＩ及びＲＩのうちの少なくとも一つを含み、
前記第２のチャネル状態のＲＩは、前記第１のチャネル状態のＲＩと同一であることを特徴とする方法。
【請求項６】
前記少なくとも一つのチャネル状態情報基準信号の前記第１のセットは、一つまたはそれ以上のチャネル状態情報基準信号を含み、前記少なくとも一つのチャネル状態情報基準信号の前記第１のセットは、前記少なくとも一つのチャネル状態情報基準信号の第２のセットと全体的に分割されるかまたは部分的に重なることを特徴とする請求項５に記載の方法。
【請求項７】
前記少なくとも一つのチャネル状態情報基準信号の前記第２のセットは、一つまたはそれ以上のチャネル状態情報基準信号を含み、前記少なくとも一つのチャネル状態情報基準信号の前記第２のセットは、前記少なくとも一つのチャネル状態情報基準信号の第１のセットと全体的に分割されるかまたは部分的に重なることを特徴とする請求項５に記載の方法。
【請求項８】
前記少なくとも一つのチャネル状態情報基準信号の部分は、ゼロパワーチャネル状態情報基準信号に対するものであることを特徴とする請求項５に記載の方法。
【請求項９】
通信システムにおけるチャネル状態を報告するユーザ装置（ＵＥ：User equipment）であって、
送受信部の動作を制御する制御部と、
少なくとも一つのチャネル状態基準信号に対する情報を受信し、前記少なくとも一つのチャネル状態情報基準信号の第１のセット及び第１の周期に基づいて第１のチャネル状態をｅＮＢ（evolved node Ｂ）に報告し、前記少なくとも一つのチャネル状態情報基準信号の第２のセット及び第２の周期に基づいて第２のチャネル状態を前記ｅＮＢに報告する前記送受信部と、を含み、
前記第１のチャネル状態は、プリコーディングマトリックス指示子（ＰＭＩ）、チャネル品質指示子（ＣＱＩ）及びランキング指示子（ＲＩ）のうちの少なくとも一つを含み、
前記第２のチャネル状態は、ＣＱＩ、ＰＭＩ及びＲＩのうちの少なくとも一つを含み、
前記第２のチャネル状態のＲＩは、前記第１のチャネル状態のＲＩと同一であることを特徴とするユーザ装置。
【請求項１０】
前記少なくとも一つのチャネル状態情報基準信号の前記第１のセットは、一つまたはそれ以上のチャネル状態情報基準信号を含み、前記少なくとも一つのチャネル状態情報基準信号の前記第１のセットは、前記少なくとも一つのチャネル状態情報基準信号の第２のセットと全体的に分割されるかまたは部分的に重なることを特徴とする請求項９に記載のユーザ装置。
【請求項１１】
前記少なくとも一つのチャネル状態情報基準信号の前記第２のセットは、一つまたはそれ以上のチャネル状態情報基準信号を含み、前記少なくとも一つのチャネル状態情報基準信号の前記第２のセットは、前記少なくとも一つのチャネル状態情報基準信号の第１のセットと全体的に分割されるかまたは部分的に重なることを特徴とする請求項９に記載のユーザ装置。
【請求項１２】
前記少なくとも一つのチャネル状態情報基準信号の部分は、ゼロパワーチャネル状態情報基準信号に対するものであることを特徴とする請求項９に記載のユーザ装置。
【請求項１３】
通信システムにおけるチャネル状態を受信する基地局（ｅＮＢ：evolved node Ｂ）であって、
送受信部の動作を制御する制御部と、
ユーザ装置（ＵＥ：User equipment）に少なくとも一つのチャネル状態基準信号に対する情報を送信し、前記ＵＥから前記少なくとも一つのチャネル状態情報基準信号の第１のセット及び第１の周期に基づいて報告された第１のチャネル状態を受信し、前記ＵＥから前記少なくとも一つのチャネル状態情報基準信号の第２のセット及び第２の周期に基づいて報告された第２のチャネル状態を受信する前記送受信部と、を含み、
前記第１のチャネル状態は、プリコーディングマトリックス指示子（ＰＭＩ）、チャネル品質指示子（ＣＱＩ）及びランキング指示子（ＲＩ）のうちの少なくとも一つを含み、
前記第２のチャネル状態は、ＣＱＩ、ＰＭＩ及びＲＩのうちの少なくとも一つを含み、
前記第２のチャネル状態のＲＩは、前記第１のチャネル状態のＲＩと同一であることを特徴とする基地局。
【請求項１４】
前記少なくとも一つのチャネル状態情報基準信号の前記第１のセットは、一つまたはそれ以上のチャネル状態情報基準信号を含み、前記少なくとも一つのチャネル状態情報基準信号の前記第１のセットは、前記少なくとも一つのチャネル状態情報基準信号の第２のセットと全体的に分割されるかまたは部分的に重なることを特徴とする請求項１３に記載の基地局。
【請求項１５】
前記少なくとも一つのチャネル状態情報基準信号の前記第２のセットは、一つまたはそれ以上のチャネル状態情報基準信号を含み、前記少なくとも一つのチャネル状態情報基準信号の前記第２のセットは、前記少なくとも一つのチャネル状態情報基準信号の第１のセットと全体的に分割されるかまたは部分的に重なることを特徴とする請求項１３に記載の基地局。
【請求項１６】
前記少なくとも一つのチャネル状態情報基準信号の部分は、ゼロパワーチャネル状態情報基準信号に対するものであることを特徴とする請求項１３に記載の基地局。
【発明の詳細な説明】
【技術分野】
【０００１】
本発明は、複数の基地局（ＢＳ）（すなわち、次世代基地局（Ｅｖｏｌｖｅｄ  Ｎｏｄｅ  Ｂ、ＥＮＢ））が協調して端末（すなわち、ユーザ端末（ＵＥ））のダウンリンク送信をサポートする協調マルチポイント（Ｃｏｏｐｅｒａｔｉｖｅ  ｍｕｌｔｉ−ｐｏｉｎｔ：ＣｏＭＰ）システムにおけるフィードバック生成方法及び装置に関する。
【背景技術】
【０００２】
最近では、３ＧＰＰ（３ｒｄ  Ｇｅｎｅｒａｔｉｏｎ  Ｐａｒｔｎｅｒｓｈｉｐ  Ｐｒｏｊｅｃｔ）の高速ダウンリンクパケットアクセス（Ｈｉｇｈ  Ｓｐｅｅｄ  Ｄｏｗｎｌｉｎｋ  Ｐａｃｋｅｔ  Ａｃｃｅｓｓ：以下、“ＨＳＤＰＡ”と称する）、高速アップリンクパケットアクセス（Ｈｉｇｈ  Ｓｐｅｅｄ  Ｕｐｌｉｎｋ  Ｐａｃｋｅｔ  Ａｃｃｅｓｓ：以下、“ＨＳＵＰＡ”と称する）、ロングタームエボルーション（Ｌｏｎｇ−Ｔｅｒｍ  Ｅｖｏｌｕｔｉｏｎ：以下、“ＬＴＥ”と称する）、ロングタームエボルーションアドバンスド（Ｌｏｎｇ−Ｔｅｒｍ  Ｅｖｏｌｕｔｉｏｎ−Ａｄｖａｎｃｅｄ：以下、“ＬＴＥ−Ａ”と称する）、３ＧＰＰ２の高速パケットデータ（Ｈｉｇｈ  Ｒａｔｅ  Ｐａｃｋｅｔ  Ｄａｔａ、ＨＲＰＤ）、及びＩＥＥＥの８０２．１６のような様々な移動通信標準が高速及び高品質の無線パケットデータ送信サービスをサポートするために開発された。
【０００３】
高速無線パケットデータ送信を効率的にサポートするために開発されたＬＴＥシステムは、様々な無線接続技術を活用して無線システム容量を最大にする。ＬＴＥシステムから進歩したＬＴＥ−Ａシステムは、ＬＴＥシステムと比較する時に向上したデータ送信能力を有する。
【０００４】
ＨＳＤＰＡ、ＨＳＵＰＡ、ＨＲＰＤ、ＬＴＥ／ＬＴＥ−Ａのような現存する第３世代（３Ｇ）無線パケットデータ通信システムは、送信効率を向上させるために適応変調及び符号化（Ａｄａｐｔｉｖｅ  Ｍｏｄｕｌａｔｉｏｎ  ａｎｄ  Ｃｏｄｉｎｇ、ＡＭＣ）方式及びチャネルセンシティブスケジューリング（ｃｈａｎｎｅｌ−ｓｅｎｓｉｔｉｖｅ  ｓｃｈｅｄｕｌｉｎｇ）方式のような技術を使用する。このとき、ＡＣＭ方式及びチャネルセンシティブスケジューリング方式は、受信器からのフィードバック、例えば、部分的なチャネル状態情報を受信し、最も効率的であると判定される時点で適切な変調及び符号化方式を適用する。
【０００５】
ＡＭＣ方式が適用された無線パケットデータ通信システムにおいて、送信器は、チャネル状態によりその送信データの量を調整することができる。すなわち、チャネル状態が悪い場合に、送信器は、受信誤り確率を所望のレベルに設定するために送信データの量を減少させる。他方、チャネル状態が良好な場合に、送信器は、受信誤り確率を所望のレベルに設定しつつも多くの情報を効率的に送信するために送信データの量を増加させる。
【０００６】
また、チャネルセンシティブスケジューリングが適用された無線パケットデータ通信システムにおいて、送信器は、様々なユーザの中で優秀なチャネル状態を有するユーザに選択的にサービスすることにより、送信器が１つのユーザにチャネルを割り当てサービスする場合に比べて、システム容量の増加に役立つ。このようなシステム容量の増加は、“マルチユーザダイバシティ（ｍｕｌｔｉ−ｕｓｅｒ  ｄｉｖｅｒｓｉｔｙ）利得”と呼ばれる。多入力多出力（ｍｕｌｔｉｐｌｅ  ｉｎｐｕｔ  ｍｕｌｔｉｐｌｅ  ｏｕｔｐｕｔ：以下、“ＭＩＭＯ”と称する）送信方式とともに使用される場合に、ＡＭＣは、送信信号の空間層（ｓｐａｔｉａｌ  ｌａｙｅｒ）の個数又はランク（ｒａｎｋ）を決定する機能も含むことができる。この場合に、ＡＭＣが適用された無線パケットデータ通信システムは、最適のデータ送信率（ｄａｔａ  ｒａｔｅ）を決定するにあたりに、単純に符号化率及び変調方式だけを考慮せず、ＭＩＭＯを用いて幾つかのレイヤーでデータを送信するかも考慮する。
【０００７】
一般的に、直交周波数分割多重接続（ＯＦＤＭＡ）は、符号分割多重接続（ＣＤＭＡ）に比べて、容量の増加を期待できる方式と知られている。ＯＦＤＭＡ方式において容量が増加する幾つかの理由の内の１つは、ＯＦＤＭＡが周波数領域スケジューリング（Ｆｒｅｑｕｅｎｃｙ  Ｄｏｍａｉｎ  Ｓｃｈｅｄｕｌｉｎｇ）を実行することができるという点である。基本的に、チャネルが時間により変わる特性に基づいてチャネルセンシティブスケジューリング方法を用いて容量利得を得ることができ、チャネルが周波数により変わる特性を用いてさらに多くの容量利得を得ることができる。したがって、第２世代及び第３世代移動通信システムで使用された多重アクセス方式であるＣＤＭＡを次世代通信システムにおけるＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）に置き換えようとする研究が活発に進んでいる。
【０００８】
図１は、送受信アンテナが各セルの中央に配置された従来のセルラー移動通信システムを示す図である。
【０００９】
図１を参照すると、セルラー移動通信システムは、３個のセル、すなわち、セル＃１  １００、セル＃２  １１０、及びセル＃３  １２０を含む。特定の端末（Ｕｓｅｒ  Ｅｑｕｉｐｍｅｎｔ、ＵＥ）は、上述した幾つの方法に基づいて提供される移動通信サービスを半静的（ｓｅｍｉ−ｓｔａｔｉｃ）期間の間に選択された１つのセルから受信する。
【００１０】
ここで、セル＃１  １００が移動通信サービスを自身のカバレージエリア（すなわち、サービスエリア）内に位置したＵＥ＃１  １０１及びＵＥ＃２  １０２に提供し、セル＃２  １１０が移動通信サービスをＵＥ＃３  １１１に提供し、セル＃３  １２０が移動通信サービスをＵＥ＃４  １２１に提供すると仮定する。送受信アンテナ１３０、１３１、及び１３２は、セル＃１  １００、セル＃２  １１０、及びセル＃３  １２０の中央にそれぞれ配置される。例えば、送受信アンテナ１３０、１３１、及び１３２は、ＥＮＢ又は中継器に対応する。
【００１１】
セル＃１  １００を通して移動通信サービスを受信するＵＥ＃２  １０２は、ＵＥ＃１  １０１に比べてアンテナ１３０からの距離が相対的に遠い。また、ＵＥ＃２  １０２は、セル＃１  １００に隣接したセル＃３  １２０内のアンテナ１３２から大きい干渉を経験する。したがって、ＵＥ＃２  １０２は、セル＃１  １００によりサポートされるデータ送信速度の観点でＵＥ＃１  １０１より低い。
【００１２】
移動通信サービスがセル＃１  １００乃至セル＃３  １２０に独立して提供される場合に、セル別にダウンリンクチャネル状態を測定するためにＵＥにより使用される基準信号（Ｒｅｆｅｒｅｎｃｅ  Ｓｉｇｎａｌ、ＲＳ）は、ＵＥに送信される。例えば、３ＧＰＰ  ＬＴＥ−Ａシステムにおいて、ＵＥは、ＥＮＢが送信するチャネル状態情報基準信号（ｃｈａｎｎｅｌ  ｓｔａｔｕｓ  ｉｎｆｏｒｍａｔｉｏｎ  ｒｅｆｅｒｅｎｃｅ  ｓｉｇｎａｌ、ＣＳＩ−ＲＳ）を受信し、この受信されたＣＳＩ−ＲＳに基づいてＥＮＢと自身との間のチャネル状態を測定し、ＥＮＢが決定したフィードバックモードとタイミングで自身のチャネル状態をフィードバックする。
【００１３】
図２は、従来のＬＴＥ−ＡシステムにおけるＥＮＢからＵＥに送信されるＣＳＩ−ＲＳのリソース位置を示す図である。
【００１４】
図２を参照すると、ＬＴＥ−Ａシステムで使用可能なリソースは、同一のサイズのリソースブロックに分割され、リソースの横軸及び縦軸は、それぞれ時間軸及び周波数軸に対応する。
【００１５】
２本のＣＳＩ−ＲＳアンテナポートに対する信号は、リソースブロック２００乃至２１９のリソースを通して送信される。ＥＮＢは、リソースブロック２００のリソースを通してダウンリンク測定のための２つのＣＳＩ−ＲＳをＵＥに送信する。
【００１６】
図１に示すように、複数のセルを有するセルラー移動通信システムの場合に、各セルに自身の固有の位置を有するリソースブロックが割り当てられ、割り当てられたリソースブロックのリソースを通してＣＳＩ−ＲＳが送信される。例えば、セル＃１  １００は、図２のリソースブロック２００のリソースを通してＣＳＩ−ＲＳを送信し、セル＃２  １１０は、図２のリソースブロック２０５のリソースを通してＣＳＩ−ＲＳを送信する。また、セル＃３  １２０は、図２のリソースブロック２１０のリソースを通してＣＳＩ−ＲＳを送信する。このように、ＣＳＩ−ＲＳ送信のためのリソースブロック（すなわち、時間及び周波数リソース）を各セルに対する異なる位置に割り当てることにより、異なるセルからのＣＳＩ−ＲＳが相互に干渉することを防止することができる。
【００１７】
セルラー移動通信システムにおいて、セルのエッジに位置するＵＥは、隣接した他のセルからの干渉が大きく作用するために、限定された高速のデータ送信率サポート容量を有する。すなわち、セル内のＵＥに提供される高速のデータ送信率は、セル内のＵＥの位置により大きく影響を受ける。基本的に、従来のセルラー移動通信システムにおいて、セルの中央に相対的に近く位置したＵＥの場合には、高いデータ送信率でデータを送受信できるが、セルの中央から相対的に遠く位置したＵＥの場合には、低いデータ送信率でデータを送受信する可能性が高いという短所がある。
【発明の概要】
【発明が解決しようとする課題】
【００１８】
本発明の目的は、少なくとも上述した問題点及び／又は不都合に取り組み、少なくとも以下の利便性を提供することにある。すなわち、本発明の目的は、複数のＥＮＢがＵＥのダウンリンク送信を協調してサポートする協調マルチポイント（Ｃｏｏｐｅｒａｔｉｖｅ  ｍｕｌｔｉ−ｐｏｉｎｔ、ＣｏＭＰ）システムにおいて協調して送信されるフィードバック情報の量を効率的に調整するためのフィードバック生成方法及び装置を提供することにある。
【課題を解決するための手段】
【００１９】
上記のような目的を達成するために、本発明の一態様によれば、通信システムにおけるフィードバック生成方法が提供される。上記方法は、特定の時点でパワーオフ状態である第１の基地局（ＥＮＢ）に関する情報及びしきい値を受信するステップと、チャネル状態測定対象である第２の基地局のそれぞれのチャネル状態を測定するステップと、上記測定されたチャネル状態に基づいて、上記第２の基地局の中から最適のチャネル状態を有する第３の基地局を選択するステップと、上記第３の基地局に対するセルインデックス及びチャネル状態情報を含む第１のフィードバック情報を生成するステップと、上記第１の基地局がパワーオフ状態で上記第２の基地局のそれぞれに対するチャネル状態を測定するステップと、上記測定されたチャネル状態に基づいて、上記第２の基地局の中から最適のチャネル状態を有する第４の基地局を選択するステップと、上記第４の基地局に対するセルインデックス及びチャネル状態情報を含む第２のフィードバック情報を生成するステップとを有することを特徴とする。
【００２０】
本発明の他の態様によれば、通信システムにおけるフィードバック受信方法が提供される。上記方法は、第１のセルのエッジに位置した端末（ＵＥ）にデータを送信する第１の基地局（ＥＮＢ）のそれぞれのチャネル測定のための信号に対するリソースを割り当てるステップと、特定の時点でパワーオフ状態である第２の基地局のしきい値を決定するステップと、上記第１の基地局のそれぞれのチャネル測定のための信号と、上記第２の基地局に関する情報と、上記第２の基地局のしきい値とを上記端末に送信するステップとを有することを特徴とする。
【００２１】
本発明のさらに他の態様によれば、通信システムにおけるフィードバック生成装置が提供される。上記装置は、特定の時点でパワーオフ状態である第１の基地局に関する情報及びしきい値を受信する通信部と、チャネル状態測定対象である第２の基地局のそれぞれのチャネル状態を測定し、上記測定されたチャネル状態に基づいて、上記第２の基地局の中から最適のチャネル状態を有する第３の基地局を選択し、上記第３の基地局に対するセルインデックス及びチャネル状態情報を含む第１のフィードバック情報を生成し、上記第１の基地局がパワーオフ状態で上記第２の基地局のそれぞれに対するチャネル状態を測定し、上記測定されたチャネル状態に基づいて、上記第２の基地局の中から最適のチャネル状態を有する第４の基地局を選択し、上記第４の基地局に対するセルインデックス及びチャネル状態情報を含む第２のフィードバック情報を生成する制御部とを有することを特徴とする。
【００２２】
本発明のさらなる他の態様によれば、  通信システムにおけるフィードバック受信装置が提供される。上記装置は、第１のセルのエッジに位置した端末（ＵＥ）にデータを送信する第１の基地局（ＥＮＢ）のそれぞれのチャネル測定のための信号に対するリソースを割り当て、特定の時点でパワーオフ状態である第２の基地局のしきい値を決定する制御部と、上記制御部の制御の下に、上記第１の基地局のそれぞれのチャネル測定のための信号と、上記第２の基地局に関する情報と、上記第２の基地局のしきい値とを上記端末に送信する通信部とを有することを特徴とする。
【００２３】
本発明の他の目的、利点、及び顕著な特徴は、添付の図面及び本発明の実施形態からなされた以下の詳細な説明から、この分野の当業者に明確になるはずである。
【発明の効果】
【００２４】
本発明は、ＬＴＥ−Ａシステムに基づいて複数のＥＮＢがＵＥのダウンリンク送信を協調してサポートする協調マルチポイント（Ｃｏｏｐｅｒａｔｉｖｅ  ｍｕｌｔｉ−ｐｏｉｎｔ、ＣｏＭＰ）システムにおいて、ダイナミックセルブランキング（Ｄｙｎａｍｉｃ  Ｃｅｌｌ  Ｂｌａｎｋｉｎｇ、ＤＢ）方式及びジョイント送信（Ｊｏｉｎｔ  Ｔｒａｎｓｍｉｓｓｉｏｎ、ＪＴ）方式を考慮してフィードバック情報を生成し、フィードバックセットに含まれたセルに対するチャネル状態とブランキングセットに含まれたセルに対するチャネル状態との間の差をしきい値と比較し、この比較の結果によりフィードバック情報の量を調整する。その結果、ＵＥは、フィードバックの間にそのチャネル状態をさらに正確に反映することができるという長所がある。
【００２５】
本発明の実施形態の上述した及び他の様相、特徴、及び利点は、以下の添付図面が併用された後述の詳細な説明から、より一層明らかになるだろう。
【図面の簡単な説明】
【００２６】
【図１】送受信アンテナが各セルの中央に配置された従来のセルラー移動通信システムを示す図である。
【図２】従来のＬＴＥ−ＡシステムにおけるＥＮＢからＵＥに送信されるＣＳＩ−ＲＳの位置を示す図である。
【図３】本発明の実施形態によるセルラー移動通信システムの構造を示す図である。
【図４】本発明の実施形態によるＥＮＢがＵＥに送信するＣＳＩ−ＲＳの位置の一例を示す図である。
【図５】本発明の実施形態に従ってダイナミックセルブランキング（ＤＢ）方式を使用するセルラー移動通信システムにおけるＵＥの方法を示すフローチャートである。
【図６】本発明の実施形態に従ってＤＢ方式を使用するセルラー移動通信システムにおけるＵＥの周期的なフィードバックのためのタイミングの一例を示す図である。
【図７】本発明の実施形態に従ってＤＢ方式を使用するセルラー移動通信システムにおけるＵＥの周期的なフィードバックのためのタイミングの他の例を示す図である。
【図８】本発明の実施形態に従ってＤＢ方式を使用するセルラー移動通信システムにおけるＵＥの周期的なフィードバックのためのタイミングのまた他の例を示す図である。
【図９】本発明の実施形態に従ってＤＢ方式を使用するセルラー移動通信システムにおけるＵＥの周期的なフィードバックのためのタイミングのもう１つの例を示す図である。
【図１０】本発明の実施形態によるＵＥの概略的な構成を示す図である。
【図１１】本発明の実施形態による中央制御装置の概略的な構成を示す図である。
【発明を実施するための形態】
【００２７】
添付した図において、同一の構成要素または機能的に類似した構成要素に対しては同一の参照符号及び参照番号を付ける。
【００２８】
本発明の様々な実施形態を、添付の図面を参照して詳細に説明する。下記の説明において、本発明の詳細な構成および要素のような特定の詳細は、本発明の実施形態の包括的な理解を助けるために提供される。したがって、本発明の範囲及び趣旨を逸脱することなく、ここに説明された実施形態の様々な変更及び変形が可能であるということは、当該技術分野における通常の知識を有する者には明らかである。また、明瞭性と簡潔性の観点から、当業者に良く知られている機能や構成に関する具体的な説明は、省略する。
【００２９】
以下、本発明の実施形態がＯＦＤＭ無線通信システム、特に、３ＧＰＰ次世代ユニバーサル地上波無線アクセス（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ、ＥＵＴＲＡ）標準を参照して詳細に説明するが、本発明の範囲及び趣旨を逸脱することなく、わずかな変形で類似した技術的な背景及びチャネル形態を有する他の通信システムにも適用可能であるということは、当該技術分野における通常の知識を有する者には明らかである。
【００３０】
一般的なセルラー移動通信システムは、限定された領域内の複数のセルを構築することにより達成される。複数のセルの各々に対して、セル内の移動通信を担当するＥＮＢは、移動通信サービスをセル内に位置したＵＥに提供する。この時に、特定のＵＥが半静的（ｓｅｍｉ−ｓｔａｔｉｃ）期間の間に選択された１つのセルのみで移動通信サービスを受信するシステムは、非協調マルチポイント（以下、“ｎｏｎ−ＣｏＭＰ”と称する）システムとして定義される。
【００３１】
上述したｎｏｎ−ＣｏＭＰシステムにおいて、セル内のＵＥの位置によりＵＥに提供される高速のデータ送信率が大きく変わる。より具体的に、対応するセルの中央に位置したＵＥは、セルのエッジに位置したＵＥよりさらに高いデータ送信率を使用する。
【００３２】
上述したｎｏｎ−ＣｏＭＰシステムと対比されるＣｏＭＰシステムがある。ＣｏＭＰシステムにおいて、複数のセルは、ＵＥをサポートするために相互に協調してセルのエッジに位置したＵＥにデータを送信（以下、“ＣｏＭＰ送信”と称する）する。この場合に、ＣｏＭＰシステムは、ｎｏｎ−ＣｏＭＰシステムに比べて、向上した移動通信サービスを提供する。
【００３３】
本発明の実施形態に従って、ＣｏＭＰシステムにおいて、ダイナミックセルブランキング（Ｄｙｎａｍｉｃ  ｃｅｌｌ  Ｂｌａｎｋｉｎｇ、ＤＢ）方式及びジョイント送信（Ｊｏｉｎｔ  Ｔｒａｎｓｍｉｓｓｉｏｎ、ＪＴ）方式に基づいてフィードバック情報を生成する方法及び装置を提案する。この時に、ＤＢ方式は、複数のセルに位置したＵＥに大きな干渉として作用する１つ又はそれ以上のセルを決定し、この決定されたセルが残りのセルに対する干渉を減少させるために、特定の時間にデータを送信しない。ＪＴ方式において、複数のセルは、データを特定のＵＥに同時に送信する。
【００３４】
以下、複数のセルを通してデータを受信するＵＥを“ＣｏＭＰ  ＵＥ”と称し、ＵＥに最も近く位置した１つのセルを通してデータを受信するＵＥを“ｎｏｎ−ＣｏＭＰ  ＵＥ”と称する。
【００３５】
本発明の他の実施形態に従って、例えば、ＬＴＥ−Ａシステムに適用されるＤＢ又はＪＴ方式は、しきい値を用いてフィードバック情報の量を効率的に調整する。
【００３６】
図３は、本発明の実施形態によるセルラー移動通信システムの構造を示す図である。
【００３７】
図３を参照すると、セルラー移動通信システムは、３個のセル、すなわち、セル＃１  ３００、セル＃２  ３１０、及びセル＃３  ３２０を含む。ここで使用される用語“セル”は、ＵＥが特定の送信地点でサービスされることができるデータ送信領域を意味する。例えば、各送信地点は、マクロセルの領域内に位置したマクロＥＮＢ及びセルＩＤを共通で有するリモート無線ヘッド（Ｒｅｍｏｔｅ  Ｒａｄｉｏ  Ｈｅａｄ、ＲＲＨ）であり得る。他方、各送信地点は、異なるセルＩＤを有するマクロセル又はピコ（ｐｉｃｏ）セルでもあり得る。
【００３８】
中央制御装置３３０は、ＵＥとデータを送受信し、送受信されたデータを処理する。ここで、各送信地点がマクロＥＮＢ及びセルＩＤを共通で有するＲＲＨである場合に、マクロＥＮＢは、中央制御装置３３０として定義される。しかしながら、各送信地点が相互に異なるセルＩＤを有するマクロセル又はピコセルを意味する場合に、セル＃１  ３００、セル＃２  ３１０、及びセル＃３  ３２０を統合された方式で管理する装置は、中央制御装置３３０として定義される。参照符号３３１、３３２、及び３３３は、セル＃１  ３００、セル＃２  ３１０、及びセル＃３  ３２０のそれぞれに設置された送受信アンテナを示し、対応するセルのＥＮＢ又は中継器であり得る。
【００３９】
図３を参照すると、セル＃１  ３００、セル＃２  ３１０、及びセル＃３  ３２０は、自身に最も近く位置した１つのセルを通してデータをそれぞれ受信するｎｏｎ−ＣｏＭＰ  ＵＥ＃１  ３０１、ｎｏｎ−ＣｏＭＰ  ＵＥ＃３  ３１１、及びｎｏｎ−ＣｏＭＰ  ＵＥ＃４  ３２１を含む。また、セル＃１  ３００、セル＃２  ３１０、及びセル＃３  ３２０は、セル＃１  ３００、セル＃２  ３１０、及びセル＃３  ３２０のそれぞれを通してデータを受信するＣｏＭＰ  ＵＥ＃２  ３０２を含む。
【００４０】
ｎｏｎ−ＣｏＭＰ  ＵＥ＃１  ３０１、ｎｏｎ−ＣｏＭＰ  ＵＥ＃３  ３１１、及びｎｏｎ−ＣｏＭＰ  ＵＥ＃４  ３２１のそれぞれは、自身が位置したセルからのＣＳＩ−ＲＳを使用してチャネル状態を推定し、推定された結果を示すフィードバック情報を中央制御装置３３０にフィードバックする。
【００４１】
しかしながら、セル＃１  ３００、セル＃２  ３１０、及びセル＃３  ３２０のそれぞれを通してデータを受信するＣｏＭＰ  ＵＥ＃２  ３０２は、セル＃１  ３００、セル＃２  ３１０、及びセル＃３  ３２０のそれぞれに対してそのチャネル状態を推定しなければならない。したがって、ＣｏＭＰ  ＵＥ＃２  ３０２でのチャネル推定のために、中央制御装置３３０は、セル＃１  ３００、セル＃２  ３１０、及びセル＃３  ３２０の各々に対応する３つのＣＳＩ−ＲＳをＣｏＭＰ  ＵＥ＃２  ３０２に送信する。
【００４２】
図４は、本発明の実施形態によるＥＮＢがＵＥに送信するＣＳＩ−ＲＳの位置の一例を示す図である。説明の便宜上、ＣＳＩ−ＲＳの位置は、図３に示した装置を参照して説明する。
【００４３】
図４を参照すると、ＥＮＢ、すなわち、中央制御装置３３０は、ＣｏＭＰ  ＵＥ＃２  ３０２がセル＃１  ３００、セル＃２  ３１０、及びセル＃３  ３２０のそれぞれからそのチャネル状態を推定できるように、セル＃１  ３００、セル＃２  ３１０、及びセル＃３  ３２０の各々に対するＣＳＩ−ＲＳをリソースブロック４０１、４０２、及び４０３の各々に割り当てる。その後に、割り当てられたリソースブロックのリソースを使用してＣＳＩ−ＲＳを送信する。例えば、セル＃１  ３００のチャネル推定のためのＣＳＩ−ＲＳは、リソースブロック４０１に割り当てられ、セル＃２  ３１０のチャネル推定のためのＣＳＩ−ＲＳは、リソースブロック４０２に割り当てられ、セル＃３  ３２０のチャネル推定のためのＣＳＩ−ＲＳは、リソースブロック４０３に割り当てられる。
【００４４】
ここで、フィードバックセット（ｆｅｅｄｂａｃｋ  ｓｅｔ）は、ＣｏＭＰ  ＵＥのチャネル推定のために送信される少なくとも１つのＣＳＩ−ＲＳが割り当てられたリソースブロックのセットを意味する。
【００４５】
ここでは、ＣＳＩ−ＲＳを割り当てる方法について説明したが、中央制御装置３３０は、ＣｏＭＰ送信を実行するセルのセルＩＤをすべて認識するものと仮定し、本発明がこれに限定されないことに留意すべきである。一方、本発明の他の実施形態において、中央制御装置３３０がＣｏＭＰ送信を実行するセルのセルＩＤをすべて認識しない場合に、ＣｏＭＰ送信を実行するセルは、セルＩＤ及び自身のＣＳＩ−ＲＳが割り当てられるリソースブロックの位置を共有することにより、ＣｏＭＰ送信を実行するセルのすべてのＣＳＩ−ＲＳがＣｏＭＰ  ＵＥに送信されることができる。
【００４６】
図５は、本発明の実施形態に従ってダイナミックセルブランキング（ＤＢ）方式を使用するセルラー移動通信システムにおけるＵＥの動作を示すフローチャートである。
【００４７】
図５を参照すると、ステップ５０１において、ＵＥは、中央制御装置からブランキングセットに関する情報及びしきい値を受信する。例えば、中央制御装置は、ＵＥが位置したセルのＥＮＢである。このしきい値は、ブランキングセットに基づいて送信されるフィードバックの量を調整するための値である。ブランキングセットは、ＵＥが特定の時点でデータ受信を中断できるセルに対応するＣＳＩ−ＲＳをエレメントとして有するセットを示す。
【００４８】
一方、ＤＢ方式に基づく中央制御装置は、複数のセルに対して相対的に高い干渉として作用すると判定される１つ以上のセルをブランキングセットに含め、ブランキングセットに関する情報をＵＥに提供する。
【００４９】
例えば、ＵＥが測定するセルの各々に対応するＣＳＩ−ＲＳをそのエレメントとして有するセット（以下、“フィードバックセット”と称する）が｛１，２，３｝である場合に、ＵＥが中央制御装置から受信したブランキングセットに関する情報から得られたブランキングセットが｛１｝であると仮定する。フィードバックセット及びブランキングセットを構成するエレメントを示すインデックスは、フィードバックセットを構成するＣＳＩ−ＲＳに１対１に対応する。ここで、セル＃１、セル＃２、及びセル＃３のインデックスは、それぞれ“１”、“２”、及び“３”である。
【００５０】
ブランキングセットが１つの値のみを含むとしても、本発明の実施形態では、ブランキングセットが１つの値以上を含むシナリオにも適用されることができることは、当該技術分野における通常の知識を有する者には明らかである。
【００５１】
したがって、ＵＥは、中央制御装置３３０から設定されたフィードバックセットに関する情報を受信し、この受信された情報に基づいてそのチャネル状態を測定し、フィードバック情報を生成し、送信するセルが総３個のセル、すなわち、セル＃１、セル＃２、及びセル＃３であることを認識する。ＵＥが中央制御装置３３０から受信したブランキングセットに関する情報から得られたブランキングセットが、例えば、｛１｝である場合に、ＵＥは、セル＃１からのデータ受信を中断できることを認識する。本発明の実施形態では、対応するセルからのデータ受信を中断する動作を“パワーオフ”と呼ぶ。
【００５２】
例えば、フィードバックセットが｛１，２，３，４，５，６｝であり、ＵＥが中央制御装置３３０から受信したブランキングセットに関する情報から得られたブランキングセットが｛１，２｝及び｛３，４｝であると仮定すると、ＵＥは、自身がチャネル状態を測定することによりフィードバックを生成しなければならないセルが総６個のセル、すなわち、セル＃１乃至セル＃６であることを認識する。また、ＵＥは、セル＃１及びセル＃２が同時にパワーオフとなるか、又はセル＃３及びセル＃４が同時にパワーオフとなることを認識する。
【００５３】
ステップ５０２において、ＵＥは、セルのチャネル状態に基づいて最適のセルを決定する。その後に、ＵＥは、この決定された最適のセルに対するチャネル情報（以下、“ダイナミック選択（Ｄｙｎａｍｉｃ  Ｓｅｌｅｃｔｉｏｎ、ＤＳ）フィードバック情報”と称する）を生成する。例えば、チャネル品質情報（Ｃｈａｎｎｅｌ  Ｑｕａｌｉｔｙ  Ｉｎｆｏｒｍａｔｉｏｎ、ＣＱＩ）又は信号対干渉比（Ｓｉｇｎａｌ−ｔｏ−Ｉｎｔｅｒｆｅｒｅｎｃｅ  Ｒａｔｉｏ、ＳＩＮＲ）は、このチャネル状態に関する情報として使用されてもよい。
【００５４】
ＵＥは、このブランキングセットに関する情報から得られたブランキングセット内のセルのそれぞれがパワーオフ状態であると仮定した後に、フィードバックセットに含まれたすべてのセルの中でパワーオフ状態のセルを除外した残りのセルのチャネル状態に基づいて最適のセルを決定し、この決定された最適のセルに関するチャネル情報（以下、“ＤＢフィードバック情報”と称する）を生成する。
【００５５】
例えば、本発明の実施形態に従って、ＳＩＮＲは、ＤＳフィードバック情報又はＤＢフィードバック情報に対応する最適のセルを決定するために使用される。この場合に、ＵＥは、下記数式（１）及び数式（２）を用いてＤＳフィードバック及びＤＢフィードバックのための最適のセルを決定する。
【００５６】
【数１】
0006054972.tif 000002
【００５７】
【数２】
0006054972.tif 000003
【００５８】
数式（１）において、ＳＩＮＲ（Ａ，Ｂ）は、信号に対する受信チャネルＡ及び干渉に対する受信チャネルＢをその入力として有するＳＩＮＲ計算関数である。この時に、信号に対する受信チャネルＡは、Ｒｉとして表現され、これは、ｉ番目のセルから送信された信号の受信チャネルを示す。また、干渉に対する受信チャネルＢは、
【００５９】
【数３】
0006054972.tif 000004
【００６０】
として表現される。数式（２）において、
【００６１】
【数４】
0006054972.tif 000005
【００６２】
は、ブランキングセットに含まれたセルを除外したフィードバックセットに含まれたセルの受信チャネルを示す。Ｍは、フィードバックセットを示す。
【００６３】
数式（１）及び数式（２）において、ｆは、セル内のトラフィックのような特定の状況に対するＥＮＢから受信された情報ｏｆｆｓｅｔｉをＳＩＮＲ値に変換する関数である。
【００６４】
ステップ５０３において、ＵＥは、ブランキングセットを考慮して選択された（すなわち、ＤＢフィードバック情報に含まれた）最適のセルに対するチャネル状態とフィードバックセットに含まれた全セルを考慮して選択された（すなわち、ＤＳフィードバック情報に含まれた）最適のセルに対するチャネル状態との差を計算する。ステップ５０３での動作は、図７又は図８を参照してさらに詳細に説明する。
【００６５】
ステップ５０４において、ＵＥは、この差をしきい値と比較する。この比較の結果、この差がしきい値を超過する場合に、ＵＥは、ステップ５０５において、ＤＢフィードバック指示子を‘ＯＮ’に設定し、ＤＢフィードバック指示子とともにＤＢフィードバック情報を送信する。例えば、ＤＢフィードバック情報は、フィードバックセットに含まれたすべてのセルの中でブランキングセットに含まれたセルがパワーオフ状態であると仮定した状態で、残りのセルのチャネル状態に基づいて選択された最適のセルに対するセルインデックス及びチャネル情報を含む。
【００６６】
しかしながら、ステップ５０４において、この差がこのしきいより小さいか又は同一である場合に、ＵＥは、ステップ５０６において、ＤＢフィードバック指示子を‘ＯＦＦ’に設定し、ＤＳフィードバック情報をフィードバックする。例えば、ＤＳフィードバック情報は、すべてのセルがパワーオン状態である場合に、すべてのセルのチャネル状態に基づいて選択された最適のセルの各々に対するセルインデックス及びチャネル情報を含む。
【００６７】
ＬＴＥ−Ａシステムに基づく場合に、ＵＥがＤＳフィードバック情報又はＤＢフィードバック情報を中央制御装置３３０に送信する方法は、周期的フィードバック方法及び非周期的フィードバック方法を含む。周期的フィードバック方法において、チャネル情報は、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）を通して周期的にチャネル情報をフィードバックする。非周期的フィードバック方法において、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）を通して非周期的にチャネル情報をフィードバックする。
【００６８】
周期的フィードバック方法を使用するＵＥは、予め定められた順序で設定されたフィードバックセットに含まれたすべてのセルがパワーオン状態ですべてのセルの中で最適のセルに関するフィードバック情報を送信し、ＵＥが認識した少なくとも１つのブランキングセットの各々に含まれたセルに基づいて選択された最適のセルに関するフィードバック情報を送信できる。
【００６９】
図６は、本発明の実施形態によるＤＢ方式を使用するセルラー移動通信システムにおけるＵＥの周期的なフィードバックのためのタイミングの一例を示す図である。
【００７０】
図６において、２個のブランキングセットが存在すると仮定する。また、周期的フィードバック方法において、ＵＥは、ＤＳフィードバック情報（ＤＳで表示される）、２個のブランキングセットの中で第１のブランキングセットに基づいて生成されたＤＢフィードバック情報（ＤＢ１で表示される）、及び２個のブランキングセットの中で第２のブランキングセットに基づいて生成されたＤＢフィードバック情報（ＤＢ２で表示される）の順にフィードバック情報を送信する。
【００７１】
図６を参照すると、第１のＰＵＣＣＨフィードバック期間６０２において、ＵＥは、フィードバックセットに含まれたすべてのセルがパワーオン状態ですべてのセルの各々に対するチャネル状態に基づいて選択された最適のセルに対するセルインデックス及びチャネル状態情報を含むＤＳフィードバック情報を生成し送信する。
【００７２】
第２のＰＵＣＣＨフィードバック期間６０４において、第１のブランキングセットに含まれたセルがパワーオフ状態であると仮定すると、ＵＥは、すべてのセルの中でパワーオフ状態のセルを除外した残りのセルの中から最適のセルを選択し、この選択された最適のセルに対するセルインデックス及びチャネル状態情報を含むＤＢフィードバック情報をフィードバックする。
【００７３】
第３のＰＵＣＣＨフィードバック期間６０６において、第３のブランキングセットに含まれたセルがパワーオフ状態であると仮定すると、ＵＥは、すべてのセルの中でパワーオフ状態のセルを除外した残りのセルの中から最適のセルを選択し、この選択された最適のセルに対するセルインデックス及びチャネル状態情報を含むＤＢフィードバック情報を生成しフィードバックする。その後に、ＵＥは、この過程を反復する。
【００７４】
図６において、ＤＳフィードバック情報を送信するＰＵＣＣＨフィードバック期間６０２の後に、ＤＢフィードバック情報を送信するＰＵＣＣＨフィードバック期間６０４及び６０６が順次に設定される場合を一例として説明する。しかしながら、本発明の他の実施形態では、ＤＢフィードバック情報及びＤＳフィードバック情報の各々をフィードバックするためのＰＵＣＣＨフィードバック期間を独立して設定してもよい。また、ＤＢフィードバック情報及びＤＳフィードバック情報をフィードバックする２個のＰＵＣＣＨフィードバック期間が相互に衝突する場合に、基本的な動作をサポートするＤＳフィードバック情報を送信するためのＰＵＣＣＨフィードバック期間は、優先順位を有するように設定してもよい。
【００７５】
本発明の実施形態に従って、例えば、図５のステップ５０４乃至ステップ５０６を参照して上述したように、ＵＥは、ＤＢフィードバック情報に含まれた最適のセルに対するチャネル状態とＤＳフィードバック情報に含まれた最適のセルに対するチャネル状態との間の差をしきい値と比較する。ＣＱＩ及びＳＩＮＲのようなチャネル状態を示す様々な値は、チャネル状態として使用されることができる。その比較の結果、この差がしきい値を超過する場合に、ＵＥは、ＤＢフィードバック情報をフィードバックする。他方、ＵＥは、ＤＳフィードバック情報をフィードバックすることにより優先順位フィードバックを決定する。
【００７６】
図５のステップ５０１におけるように、ＥＮＢが送信した値であるしきい値は、ＤＳ方式及びＤＢ方式に対して個々の符号語に対するＣＱＩの和として定義されるか、又はＤＳ方式及びＤＢ方式に対するＳＩＮＲ値として定義される。
【００７７】
図７は、本発明の実施形態によるＤＢ方式を使用するセルラー移動通信システムにおけるＵＥの周期的フィードバック方法のためのタイミンググの他の例を示す図である。図７において、ＣＱＩの和がチャネル状態及びしきい値として使用され、２個のブランキングセットが存在すると仮定する。
【００７８】
図７を参照すると、第１のＰＵＣＣＨフィードバック期間７０２において、ＵＥは、フィードバックセットに含まれたすべてのセルがパワーオン状態ですべてのセルに対するチャネル状態を考慮して最適のセルを選択する。また、ＵＥは、選択された最適のセルに対するセルインデックス及びチャネル状態を含むＤＳフィードバック情報（ＤＳ）を生成しフィードバックする。
【００７９】
第２のＰＵＣＣＨフィードバック期間７０４において、ＵＥは、２個のブランキングセットの中で第１のブランキングセットに含まれたセルがパワーオフ状態であると仮定し、第１のブランキングセット内のパワーオフ状態のセルを除外したフィードバックセット内に含まれた残りのセルに対するチャネル状態に基づいて最適のセルを選択する。また、ＵＥは、選択された最適のセルに対するセルインデックス及びチャネル状態を含むＤＢフィードバック情報（ＤＢ１）を生成する。
【００８０】
また、第２のＰＵＣＣＨフィードバック期間７０４において、ＵＥは、フィードバックセット内に含まれたすべてのセルがパワーオン状態ですべてのセルに対するチャネル状態に基づいて最適のセルを選択する。ＵＥは、選択された最適のセルに対するセルインデックス及びチャネル状態を含むＤＳフィードバック情報を生成する。
【００８１】
さらに、第２のＰＵＣＣＨフィードバック期間７０４において、ＵＥは、ＤＢフィードバック情報ＤＢ１に含まれた最適のセルに対するチャネル状態とＤＳフィードバック情報に含まれた最適のセルに対するチャネル状態との間の差をしきい値と比較する。この比較の結果、この差がしきい値を超過する場合に、ＵＥは、ＤＢフィードバック情報ＤＢ１を送信するか又はフィードバックする。しかしながら、この比較の結果、この差がしきい値より小さいか又は同一である場合に、ＵＥは、ＤＳフィードバック情報を送信するか又はフィードバックする。
【００８２】
図７では、対応するセルに対するチャネル状態がＣＱＩの和で示され、ステップ５０１において、ＵＥがＥＮＢから受信したしきい値が“ＣＱＩ＝３”であると仮定する。第２のＰＵＣＣＨフィードバック期間７０４において、ＵＥは、ＤＢフィードバック情報ＤＢ１である“ＣＱＩ＝８”とＤＳフィードバック情報である“ＣＱＩ＝４”との差をしきい値である“ＣＱＩ＝３”と比較する。この比較の結果、この差、すなわち、“ＣＱＩ＝４”がしきい値を超過するので、ＵＥは、第２のＰＵＣＣＨフィードバック期間７０４でＤＢフィードバック情報ＤＢ１をフィードバックする。
【００８３】
第３のＰＵＣＣＨフィードバック期間７０６において、２個のブランキングセットの中で第２のブランキングセットに含まれたセルがパワーオフ状態であると仮定し、ＵＥは、パワーオフ状態のセルを除外した残りのセルに対するチャネル状態に基づいて選択された最適のセルに対するセルインデックス及びチャネル状態を含むＤＢフィードバック情報（ＤＢ２）を生成する。
【００８４】
また、第３のＰＵＣＣＨフィードバック期間７０６において、ＵＥは、フィードバックセット内に含まれたすべてのセルがパワーオン状態ですべてのセルに対するチャネル状態に基づいて最適のセルを選択する。ＵＥは、選択された最適のセルに対するセルインデックス及びチャネル状態を含むＤＳフィードバック情報を生成する。
【００８５】
さらに、第３のＰＵＣＣＨフィードバック期間７０６において、ＵＥは、ＤＢフィードバック情報ＤＢ２に含まれた最適のセルに対するチャネル状態とＤＳフィードバック情報に含まれた最適のセルに対するチャネル状態との間の差をしきい値と比較する。
【００８６】
すなわち、第３のＰＵＣＣＨフィードバック期間７０６において、ＵＥは、ＤＢフィードバック情報ＤＢ２である“ＣＱＩ＝４”とＤＳフィードバック情報である“ＣＱＩ＝２”との間の差をしきい値である“ＣＱＩ＝２”と比較する。この比較の結果、この差、すなわち、“ＣＱＩ＝２”がしきい値より小さいか又は同一であるので、ＵＥは、第３のＰＵＣＣＨフィードバック期間７０６においてＤＳフィードバック情報をフィードバックする。その後に、ＵＥは、上述した過程を反復する。
【００８７】
一方、それぞれのＰＵＣＣＨフィードバック期間において、ＵＥは、ＤＢフィードバック情報がフィードバックされるか否かを示すＤＢフィードバック指示子を設定する。具体的に、ＤＢフィードバック情報をフィードバックする場合に、ＵＥは、ＤＢフィードバック指示子を“ＯＮ”に設定し、ＤＢフィードバック情報とともにＤＢフィードバック指示子をＥＮＢに送信する。同様に、ＤＳフィードバック情報をフィードバックする場合に、ＵＥは、ＤＢフィードバック指示子を“ＯＦＦ”に設定し、ＤＳフィードバック情報とともにＤＢフィードバック指示子をＥＮＢに送信する。
【００８８】
図８は、本発明の実施形態に従ってＤＢ方式を使用するセルラー移動通信システムにおけるＵＥの周期的なフィードバックのためのタイミングのまた他の例を示す図である。図８において、ＣＱＩの和がチャネル状態及びしきい値として使用され、２個のブランキングセットが存在すると仮定する。
【００８９】
図８を参照すると、第１のＰＵＣＣＨフィードバック期間８０２において、ＵＥは、すべてのセルに対するチャネル状態に基づいて最適のセルを選択する。ＵＥは、選択された最適のセルに対するセルインデックス及びチャネル状態情報を含むＤＳフィードバック情報（ＤＳ）を生成する。また、２個のブランキングセットの中で第１のブランキングセットに含まれたセルがパワーオフ状態であると仮定し、ＵＥは、残りのセルに対するチャネル状態に基づいて、パワーオフ状態のセルを除外したフィードバックセット内に含まれた残りのセルのうちで最適のセルを選択する。ＵＥは、選択された最適のセルに対するセルインデックス及びチャネル状態情報を含むＤＢフィードバック情報（ＤＢ１）を生成する。また、ＤＳフィードバック情報ＤＳとＤＢフィードバック情報ＤＢ１との間の差をしきい値と比較する。この比較の結果、ＤＳフィードバック情報ＤＳである“ＣＱＩ＝３”とＤＢフィードバック情報である“ＣＱＩ＝５”との間の差がしきい値である“ＣＱＩ＝３”より小さいか又は同一であるので、第１のＰＵＣＣＨフィードバック期間８０２において、ＵＥは、ＤＳフィードバック情報ＤＳをフィードバックする。しかしながら、この差がしきい値を超過する場合に、ＵＥは、第１のＰＵＣＣＨフィードバック期間８０２において、ＤＢフィードバック情報ＤＢ１をフィードバックする。
【００９０】
第２のＰＵＣＣＨフィードバック期間８０４において、フィードバックセット内に含まれたすべてのセルがパワーオン状態ですべてのセルに対するチャネル状態に基づいて最適のセルを選択する。ＵＥは、選択された最適のセルに対するセルインデックス及びチャネル状態を含むＤＳフィードバック情報を生成する。２個のブランキングセットの中で第２のブランキングセットに含まれたセルがパワーオフ状態であると仮定し、ＵＥは、残りのセルに対するチャネル状態を考慮して、残りのセルのうちで最適のセルを選択する。また、ＵＥは、最適のセルに対するセルインデックス及びチャネル状態を含むＤＢフィードバック情報ＤＢ２を生成する。
【００９１】
また、ＵＥは、ＤＳフィードバック情報である“ＣＱＩ＝４”とＤＢフィードバック情報ＤＢ２である“ＣＱＩ＝７”との間の差をしきい値である“ＣＱＩ＝３”と比較する。この比較の結果、この差がしきい値と同一であるので、ＵＥは、第２のＰＵＣＣＨフィードバック期間８０４においてＤＳフィードバック情報をフィードバックし、残りのＰＵＣＣＨフィードバック期間でも上述した過程を反復する。
【００９２】
ＰＵＣＣＨフィードバック期間の中でＤＢフィードバック送信期間において、ＵＥは、“ＯＮ”に設定されたＤＢフィードバック指示子をＤＢフィードバック情報とともにＥＮＢに送信する。ＰＵＣＣＨフィードバック期間の中でＤＳフィードバック送信期間において、ＵＥは、“ＯＦＦ”に設定されたＤＢフィードバック指示子をＤＳフィードバック情報とともにＥＮＢに送信する。
【００９３】
上記したようにフィードバックセットに含まれたすべてのセルのチャネル状態を考慮して選択された最適のセルに関するチャネル状態情報と、すべてのセルの中でブランキングセット内に含まれたセルがパワーオフ状態であると仮定し、残りのセルのチャネル状態に基づいて残りのセルの中から選択された最適のセルに関するチャネル状態情報との間の差をしきい値と比較し、その比較の結果に基づいて、ＤＳフィードバック情報を送信するか、又はブランキングセットと関連して生成されたＤＢフィードバック情報を送信するかを決定し、この決定されたフィードバック情報をフィードバックする方法は、ＵＥが予め定められたＤＢフィードバック情報に対するフィードバックタイミング又はＤＳフィードバック情報に対するフィードバックタイミングによりフィードバックを実行する方法に比べて、ＵＥがフィードバックの間にチャネル状態をより正確に反映できるようにする。
【００９４】
図９は、本発明の実施形態に従ってＤＢ方式を使用するセルラー移動通信システムにおけるＵＥの周期的なフィードバックのためのタイミングのもう１つの例を示す図である。図９において、ＵＥが複数のセルの各々に対するＤＳフィードバックをすべて実行すると仮定する。
【００９５】
より具体的に、ＵＥは、ＤＳフィードバック情報と同一のフィードバック期間で送信されるＤＢフィードバック情報が同一のフィードバック期間で送信されるＤＳフィードバック情報に含まれた情報とは異なる情報を有するか否かを判定する。この判定の結果により、ＵＥは、対応するＤＢフィードバック情報を構成する情報を決定する。この場合に、ＤＳフィードバック情報は、最適のセルのセルインデックスを任意に含むことがある。同一のフィードバック期間で送信されるＤＢフィードバック情報が同一のフィードバック期間で送信されるＤＳフィードバック情報に含まれた情報とは異なる情報を有すると判定される場合に、ＤＢフィードバック情報は、異なる情報のみで構成されることによりフィードバックされることもある。
【００９６】
図９を参照すると、フィードバックセットが｛１，２，３｝であり、ブランキングセットが｛１｝である。
【００９７】
第１のＰＵＣＣＨフィードバック期間９０２において、ＵＥは、セル＃１に対するＤＳフィードバック情報（ＤＳ）をフィードバックする。この場合に、セル＃１がブランキングセット内に含まれるので、ＤＳフィードバック情報は、セル＃１に対するセル状態情報（例えば、ランキング指示子（Ｒａｎｋｉｎｇ  Ｉｎｄｉｃａｔｉｏｎ、ＲＩ）、プリコーディングマトリックス指示子（Ｐｒｅｃｏｄｉｎｇ  Ｍａｔｒｉｘ  Ｉｎｄｉｃａｔｉｏｎ、ＰＭＩ）及びＣＱＩ）を含んでもよい。
【００９８】
第２のＰＵＣＣＨフィードバック期間９０４において、ＵＥは、セル＃２に対するＤＢフィードバック情報及びＤＳフィードバック情報を送信する。セル＃２に対するＤＢフィードバック情報は、セル＃１がパワーオフ状態である場合に、セル＃２に対するチャネル状態に基づいて生成される。この場合に、セル＃２に対するＤＢフィードバック情報は、セル＃２に対するＤＳフィードバック情報とは異なる情報を含むように構成されてもよい。
【００９９】
例えば、セル＃２に対するＤＳフィードバック情報は、セル＃２に対するＤＳフィードバック情報に含まれるＲＩ、ＰＭＩ、及びＣＱＩ、及びセル＃２に対するＤＳフィードバック情報に含まれるＲＩ、ＰＭＩ、及びＣＱＩとセル＃２に対するＤＢフィードバック情報に含まれるＲＩ、ＰＭＩ、及びＣＱＩとの間の差を含むように構成されてもよい。
【０１００】
他の例として、セル＃１がパワーオフ状態である場合に、セル＃２に対するＤＳフィードバック情報に含まれたＲＩ及びＰＭＩをそのまま含み、ＣＡＩのみに対して、セル＃２に対するＤＳフィードバック情報に含まれたＣＱＩとＤＢフィードバック情報に含まれたＣＱＩとの間の差だけを含むようにセル＃２に対するＤＢフィードバック情報を生成してもよい。
【０１０１】
一方、図９に図示していないが、ＵＥは、各ＰＵＣＣＨフィードバック期間で計算されるＤＳフィードバック情報とＤＢフィードバック情報に含まれたチャネル状態情報との間の差をしきい値と比較した後に、この比較の結果により、ＤＢフィードバック情報を送信するか否かを決定できる。
【０１０２】
また、ＵＥのフィードバック動作がＰＵＳＣＨを通した非周期的フィードバック方法を用いてＰＵＣＣＨと同様に予め定められた順序を使用することができるが、本発明は、これに限定されない。すなわち、ＵＥは、非周期的フィードバックを活性化するためのフィールドを含む物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を用いてどのブランキングセットに対するフィードバックを実行するかを指定できる。例えば、非周期的フィードバックが活性化され、特定のブランキングセットに対するフィードバックがＰＤＣＣＨチャネルを通して送信された制御情報に指定されている場合には、ＵＥは、制御情報に基づいてＰＵＳＣＨを通して特定のブランキングセットに対する非周期的フィードバックを実行する。
【０１０３】
本発明の実施形態に従って、フィードバックを指定する方法は、１つ以上のブランキングセットに対するフィードバックが１つのＰＤＣＣＨに指定される方法を含む。また、ＤＳフィードバック及びＤＢフィードバックのすべては、非周期的フィードバックが活性化されるフィードバックタイミングで同時に実行されるように指定されることもある。
【０１０４】
本発明の実施形態では、複数のセルに対して大きな干渉として作用すると判定される１つ以上のセルが残りのセルのために特定の時間にデータを送信しないようにするＣｏＭＰ技術のうちの１つであるＤＢ方式をデフォルトで説明したが、本発明がこれに限定されないことに留意すべきである。一方、複数のセルで特定のＵＥに同時にデータを送信するＣｏＭＰ技術の中の１つであるＪＴ方式に対しても、ＵＥは、ｎｏｎ−ＣｏＭＰ  ＵＥとは異なり、追加のフィードバック情報をＥＮＢに送信しなければならない。したがって、ＪＴ方式のためのフィードバックを実行する際に、ＵＥは、しきい値に基づいてフィードバック情報が有効であるか否かを判定した後に、有効性情報を含む指示子をフィードバック情報とともにＥＮＢにフィードバックするか又は送信する。
【０１０５】
また、本発明の実施形態に従って、ＣｏＭＰ技術でない場合にも基本的なダウンリンク動作のためのフィードバック動作及び追加の動作を実行するためのフィードバック動作を区分し、ＵＥは、ＥＮＢが提供したしきい値に基づいて追加のフィードバック動作の有効性を判定し、追加のフィードバックの有効性を示す指示子を含むフィードバック情報を送信することができる。
【０１０６】
図１０は、本発明の実施形態によるＵＥの概略的な構成を示す図である。
【０１０７】
図１０を参照すると、ＵＥ９００は、通信部９１０及び制御部９２０を含む。通信部９１０は、データを送受信し、制御部９２０の制御の下に最適のセルに対するチャネル情報を中央制御装置に送信する。
【０１０８】
制御部９２０は、図３乃至図９を参照して説明した方法に従って、ＵＥ９００に含まれたすべての構成の状態及び動作を制御する。制御部９２０は、隣接したセルとの通信状態により最適のセルを選択し、選択された最適のセルに対するチャネル情報を中央制御装置にフィードバックするように通信部９１０を制御する。このために、制御部９２０は、チャネル推定部９３０をさらに含む。
【０１０９】
チャネル推定部９３０は、中央制御装置から受信されたＣＳＩ−ＲＳに基づいてチャネルを推定する。チャネル推定部９３０は、推定されたチャネルに基づいて最適のセルを選択し、選択された最適のセルに対するセルインデックス及びチャネル情報を中央制御装置にフィードバックするように通信部９１０を制御する。
【０１１０】
より具体的に、チャネル推定部９３０は、フィードバックセットに含まれる、ＣＳＩ−ＲＳに対応するセルのそれぞれに対するチャネル状態を推定する。チャネル推定部９３０は、フィードバックセットに含まれる、ＣＳＩ−ＲＳに対応するセルのすべてがパワーオン状態であると仮定し、各セルに対するＳＩＮＲを計算することにより最適のセルを選択する。また、チャネル推定部９３０は、フィードバックセットに含まれる、ＣＳＩ−ＲＳに対応するセルの中でブランキングセットに含まれるセルがパワーオフ状態であると仮定し、パワーオフ状態のセルを除外したフィードバックセットに含まれた残りのセルに対するＳＩＮＲを計算する。チャネル推定部９３０は、残りのセルの中から最適のセルを選択する。その後に、チャネル推定部９３０は、すべてのセルの電源がパワーオン状態で選択された最適のセルのセルインデックス及びチャネル状態情報を含むＤＳフィードバック情報と、ブランキングセットに含まれたセルがパワーオフ状態で選択された最適のセルのそれぞれのセルインデックス及びチャネル情報を含むＤＢフィードバック情報及びＤＢフィードバック情報がフィードバックされるか否かを示すＤＢ指示子とを中央制御装置にフィードバックするように通信部９１０を制御する。
【０１１１】
ＵＥが通信部９１０及び制御部９２０を含むとしても、本発明がこれに限定されないことに留意すべきである。すなわち、本発明の実施形態によるＵＥは、ＵＥで実行した様々な機能に対する追加の構成を含んでもよい。例えば、ＵＥは、ＵＥの現在の状態を表示する表示部と、ユーザから機能実行信号のような信号を受信する入力部及び生成されたデータを格納する格納部とをさらに含んでもよい。
【０１１２】
図１１は、本発明の実施形態による中央制御装置の概略的な構成を示す図である。
【０１１３】
図１１を参照すると、中央制御装置１０００は、制御部１０１０及び通信部１０２０を含む。制御部１０１０は、図３乃至図９を参照して説明した方法に従って、中央制御装置１０００に含まれたすべての構成の状態及び動作を制御する。制御部１０１０は、各セルに対するＣＳＩ−ＲＳを関連するリソースに割り当て、ブランキングセットに含まれるセルとＤＢフィードバック及びＤＳフィードバックの中のいずれか１つを送信するためのしきい値とを決定した後に、対応するリソース位置及び情報をＵＥに通知する。このような動作のために、制御部１０１０は、セルリソース割り当て部１０３０を含む。
【０１１４】
セルリソース割り当て部１０３０は、ＣｏＭＰ  ＵＥが各セルに対するチャネルを推定できるように各セルに対応するＣＳＩ−ＲＳをそれぞれのリソースに割り当て、この割り当てられたリソースを使用してＣＳＩ−ＲＳをＵＥに送信する。この時に、セル別に割り当てられるリソースは、例えば、図４に示すように、各セルのチャネル推定のためのＣＳＩ−ＲＳに対応するように割り当てられる。
【０１１５】
通信部１０２０は、ＵＥ又は中央制御装置１０００が管理するセルとデータを送受信する一般的な機能を実行する。通信部１０２０は、制御部１０１０の制御の下に、割り当てられたリソースを通してＣＳＩ−ＲＳをＵＥに送信し、チャネル情報に対するフィードバックをＵＥから受信する。
【０１１６】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０１１７】
９１０  通信部
９２０  制御部
９３０  チャネル推定部
１０００  中央制御装置
１０１０  制御部
１０２０  通信部
１０３０  セルリソース割り当て部
【図１】
0006054972.tif 000006
【図２】
0006054972.tif 000007
【図３】
0006054972.tif 000008
【図４】
0006054972.tif 000009
【図５】
0006054972.tif 000010
【図６】
0006054972.tif 000011
【図７】
0006054972.tif 000012
【図８】
0006054972.tif 000013
【図９】
0006054972.tif 000014
【図１０】
0006054972.tif 000015
【図１１】
0006054972.tif 000016